(57)【要約】【課題】電池セルを複数積層した積層体の内側に供給される電解液の内圧が過度に上昇した場合であっても、積層体から電解液が漏れ難いセルスタック、及びレドックスフロー電池を提供する。【解決手段】複数の電池セルと、その両端部に配置されるエンドプレートとを有する積層体と、前記エンドプレートを貫通して延びる棒状体と、前記棒状体の端部に結合され、前記積層体を積層方向に締め付ける締付部材と、前記エンドプレートと前記締付部材との間に配置され、前記積層体の積層方向への膨張・収縮を吸収する弾性部材とを備えるセルスタックであって、前記棒状体と同軸状に配置され、前記積層体の積層方向への膨張に伴う前記弾性部材の収縮を規制するストッパを備えるセルスタック。【選択図】図１
2017208178.tif 000002
【特許請求の範囲】
【請求項１】
複数の電池セルと、その両端部に配置されるエンドプレートとを有する積層体と、
前記エンドプレートを貫通して延びる棒状体と、
前記棒状体の端部に結合され、前記積層体を積層方向に締め付ける締付部材と、
前記エンドプレートと前記締付部材との間に配置され、前記積層体の積層方向への膨張・収縮を吸収する弾性部材とを備えるセルスタックであって、
前記棒状体と同軸状に配置され、前記積層体の積層方向への膨張に伴う前記弾性部材の収縮を規制するストッパを備えるセルスタック。
【請求項２】
前記ストッパは、前記棒状体が貫通する筒部材である請求項１に記載のセルスタック。
【請求項３】
前記ストッパは、前記棒状体と前記弾性部材との間に配置されている請求項１又は請求項２に記載のセルスタック。
【請求項４】
前記ストッパは、前記弾性部材の外周に配置されている請求項１又は請求項２に記載のセルスタック。
【請求項５】
前記ストッパは、前記弾性部材と前記締付部材との間に配置されると共に、前記弾性部材の端面外縁よりも外方に突出する突出部分を有する板状部材であり、
前記エンドプレートは、
前記弾性部材を収納可能な凹部と、
前記凹部の開口部周縁に、前記積層体の積層方向への膨張に伴い前記ストッパの突出部分に当て止めされる当接面とを備える請求項１に記載のセルスタック。
【請求項６】
前記弾性部材及び前記ストッパは、前記エンドプレートの中心を挟んだ対向位置に配置される請求項１から請求項５のいずれか１項に記載のセルスタック。
【請求項７】
請求項１から請求項６のいずれか１項に記載のセルスタックと、
前記セルスタックに正極電解液を循環させる正極循環機構と、
前記セルスタックに負極電解液を循環させる負極循環機構とを備えるレドックスフロー電池。
【発明の詳細な説明】
【技術分野】
【０００１】
本発明は、セルスタック、及びレドックスフロー電池に関する。
【背景技術】
【０００２】
大容量の蓄電池の一つとして、電解液を電極に供給して電池反応を行うレドックスフロー電池（以下、ＲＦ電池と呼ぶことがある）が知られている。ＲＦ電池の用途としては、負荷平準化用途の他、瞬低補償や非常用電源などの用途、太陽光発電や風力発電などの自然エネルギーの出力平滑化用途などが挙げられる。
【０００３】
ＲＦ電池は、代表的には、正極電解液が供給される正極電極と、負極電解液が供給される負極電極と、正極電極と負極電極との間に介在される隔膜とを備える電池セルを主な構成要素とする。大容量用途では、複数の電池セルを積層し、ある程度締め付けて構成されるセルスタックと呼ばれるものが利用される。隣り合う電池セル間には、通常、双極板を備えるセルフレームが介在される。セルスタックは、あるセルフレームの双極板、正極電極、隔膜、負極電極、別のセルフレームの双極板、…と順に繰り返し積層され、その両端部にエンドプレートが配置された積層体で構成される。積層体は、エンドプレート間が長ボルトなどの棒状体で連結されて一体化される。
【０００４】
上記セルスタックは、電池セルとセルフレームとを複数積層した積層体で構成されるため、各部材の隙間から電解液が漏れないようにする必要がある。例えば、特許文献１では、積層体の両端部に配置されるエンドプレートと、両エンドプレートを貫通する棒状体と、棒状体の両端部に嵌め込まれて両エンドプレートを締め付けるナットと、エンドプレートとナットとの間に介在される圧縮コイルばねなどの弾性部材とを備えるセルスタックを用いている。エンドプレートとナットとの間に弾性部材を介在させることで、積層体の伸縮状態に関わらず適切な締付力を保持でき、積層体をその積層方向に圧縮する内向きの圧力で締め付けることができる。よって、ＲＦ電池の通常運転時に、各電極に供給される電解液の内圧によって積層体に外向きの圧力（積層体が広がる方向の圧力）が作用した場合であっても、上記内向きの圧力によって、各部材に隙間ができないようにでき、電解液が漏れることを抑制できる。
【先行技術文献】
【特許文献】
【０００５】
【特許文献１】特開２００２−３６７６６０号公報
【発明の概要】
【発明が解決しようとする課題】
【０００６】
電極に電解液を供給する供給機構に異常が生じた場合、積層体内の内圧が過度に上昇し、積層体の外向きに過度の圧力が作用する虞がある。その場合、弾性部材によって積層体を内向きの圧力で締め付けきれず、積層体の各部材に隙間が生じ、電解液が漏れる虞がある。
【０００７】
そこで、電池セルを複数積層した積層体の内側に供給される電解液の内圧が過度に上昇した場合であっても、積層体から電解液が漏れ難いセルスタックを提供することを目的の一つとする。また、上記セルスタックを備えるレドックスフロー電池を提供することを別の目的の一つとする。
【課題を解決するための手段】
【０００８】
本開示に係るセルスタックは、
複数の電池セルと、その両端部に配置されるエンドプレートとを有する積層体と、
前記エンドプレートを貫通して延びる棒状体と、
前記棒状体の端部に結合され、前記積層体を積層方向に締め付ける締付部材と、
前記エンドプレートと前記締付部材との間に配置され、前記積層体の積層方向への膨張・収縮を吸収する弾性部材とを備えるセルスタックであって、
前記棒状体と同軸状に配置され、前記積層体の積層方向への膨張に伴う前記弾性部材の収縮を規制するストッパを備える。
【０００９】
本開示に係るレドックスフロー電池は、
上記本開示に係るセルスタックと、
前記セルスタックに正極電解液を循環させる正極循環機構と、
前記セルスタックに負極電解液を循環させる負極循環機構とを備える。
【発明の効果】
【００１０】
上記セルスタック及び上記レドックスフロー電池は、電池セルを複数積層した積層体の内側に供給される電解液の内圧が過度に上昇した場合であっても、積層体から電解液が漏れ難い。
【図面の簡単な説明】
【００１１】
【図１】実施形態１に係るセルスタックに備わるストッパを表す概略断面模式図である。
【図２】実施形態２に係るセルスタックに備わるストッパを表す概略断面模式図である。
【図３】実施形態３に係るセルスタックに備わるストッパを表す概略断面模式図である。
【図４】実施形態４に係るセルスタックに備わるストッパを表す概略断面模式図である。
【図５】レドックスフロー電池の概略説明図である。
【図６】レドックスフロー電池に備わるセルスタックの概略断面図である。
【図７】レドックスフロー電池に備わるセルスタックの概略構成図である。
【図８】レドックスフロー電池に備わるセルスタックの概略上面図である。
【発明を実施するための形態】
【００１２】
［本発明の実施形態の説明］
最初に本発明の実施形態の内容を列記して説明する。
【００１３】
（１）本発明の実施形態に係るセルスタックは、
複数の電池セルと、その両端部に配置されるエンドプレートとを有する積層体と、
前記エンドプレートを貫通して延びる棒状体と、
前記棒状体の端部に結合され、前記積層体を積層方向に締め付ける締付部材と、
前記エンドプレートと前記締付部材との間に配置され、前記積層体の積層方向への膨張・収縮を吸収する弾性部材とを備えるセルスタックであって、
前記棒状体と同軸状に配置され、前記積層体の積層方向への膨張に伴う前記弾性部材の収縮を規制するストッパを備える。
【００１４】
上記セルスタックは、積層体の積層方向への膨張に伴う弾性部材の収縮を規制するストッパを備えることで、積層体内の電解液の内圧が過度に上昇する異常時の場合であっても、積層体が積層方向へ膨張することを抑制することができる。よって、弾性部材によって積層体を締め付けることができない場合であっても、積層体の各部材間に隙間が生じることを抑制でき、電解液が漏れることを抑制できる。特に、ストッパが棒状体と同軸状に配置されていることで、ストッパは棒状体の端部に結合された締付部材とエンドプレートとの間でその機能を果たすことができ、弾性部材の収縮を効果的に規制することができる。
【００１５】
（２）上記のセルスタックの一例として、前記ストッパは、前記棒状体が貫通する筒部材である形態が挙げられる。
【００１６】
上記構成によれば、棒状体を貫通させてストッパを配置すると、棒状体の端部に結合される締付部材とエンドプレートとの間に配置される弾性部材に対してストッパを位置決めし易い。また、ストッパが筒部材であることで、ストッパが棒状体から脱落することを抑制できる。
【００１７】
（３）上記のセルスタックの一例として、前記ストッパは、前記棒状体と前記弾性部材との間に配置されている形態が挙げられる。
【００１８】
上記構成によれば、棒状体に対してストッパを配置し易い。また、弾性部材が圧縮コイルばねであれば、棒状体の外周に圧縮コイルばねを配置したときに形成されるデッドスペースにストッパを配置することができる。
【００１９】
（４）上記のセルスタックの一例として、前記ストッパは、前記弾性部材の外周に配置されている形態が挙げられる。
【００２０】
上記構成によれば、ストッパにおける弾性部材の収縮の規制状態を目視で確認し易い。
【００２１】
（５）上記のセルスタックの一例として、前記ストッパは、前記弾性部材と前記締付部材との間に配置されると共に、前記弾性部材の端面外縁よりも外方に突出する突出部分を有する板状部材であり、前記エンドプレートは、前記弾性部材を収納可能な凹部と、前記凹部の開口部周縁に、前記積層体の積層方向への膨張に伴い前記ストッパの突出部分に当て止めされる当接面とを備える形態が挙げられる。
【００２２】
上記構成によれば、ストッパにおける弾性部材の収縮の規制状態を目視で確認し易い。また、弾性部材の少なくとも一部が常時エンドプレートに収納されているため、エンドプレートからの弾性部材及び棒状体の突出量を小さくできる。
【００２３】
（６）上記のセルスタックの一例として、前記弾性部材及び前記ストッパは、前記エンドプレートの中心を挟んだ対向位置に配置される形態が挙げられる。
【００２４】
棒状体・締付部材・弾性部材は、通常、エンドプレートの周方向に複数設けられる。エンドプレートの中心を挟んだ対向位置にある弾性部材に対してストッパを設けることで、積層体の積層方向への膨張をエンドプレートの周方向全域に亘って均一的に抑制し易い。
【００２５】
（７）本発明の実施形態に係るレドックスフロー電池は、
上記（１）〜（６）のいずれか１つに記載のセルスタックと、
前記セルスタックに正極電解液を循環させる正極循環機構と、
前記セルスタックに負極電解液を循環させる負極循環機構とを備える。
【００２６】
上記レドックスフロー電池は、本発明の実施形態に係るセルスタックを備えるため、電解液の内圧が過度に上昇する異常時で、弾性部材によって積層体を締め付けることができない場合であっても、積層体の積層方向への膨張を抑制することができる。よって、積層体の各部材間に隙間が生じることを抑制でき、電解液が漏れることを抑制できる。
【００２７】
［本発明の実施形態の詳細］
以下、図面を参照して、本発明の実施形態に係るレドックスフロー電池（ＲＦ電池）に備わるセルスタック、及びそのセルスタックを備えるＲＦ電池を詳細に説明する。図中の同一符号は、同一名称物を示す。
【００２８】
まず、図５〜８を参照して、実施形態のＲＦ電池１００の基本構成を説明し、次に図１〜４を参照して、実施形態のＲＦ電池１００に備わるセルスタックの各実施形態について説明する。
【００２９】
〔ＲＦ電池の概要〕
実施形態に係るＲＦ電池１００は、図５に示すようなＲＦ電池１００に電解液を循環供給する循環機構が設けられたＲＦ電池システムが構築されて利用される。ＲＦ電池１００は、代表的には、交流／直流変換器や変電設備などを介して、発電部と、電力系統や需要家などの負荷とに接続される。ＲＦ電池１００は、発電部を電源として充電を行い、負荷を電力消費対象として放電を行う。発電部は、例えば、太陽光発電機、風力発電機、その他一般の発電所などが挙げられる。
【００３０】
〔ＲＦ電池の基本構成〕
ＲＦ電池１００は、隔膜１０１で正極セル１０２と負極セル１０３とに分離された電池セル１００Ｃを備える。正極セル１０２には、正極電解液が供給される正極電極１０４が内蔵され、負極セル１０３には、負極電解液が供給される負極電極１０５が内蔵されている。ＲＦ電池１００は、代表的には、複数の電池セル１００Ｃを備えて、隣り合う電池セル１００Ｃ，１００Ｃ間に双極板１２１を有するセルフレーム１２０（図６，７）が介在される。
【００３１】
正極電極１０４及び負極電極１０５は、供給された電解液に含まれる活物質イオンが電池反応を行う反応場である。隔膜１０１は、正極電極１０４と負極電極１０５とを分離すると共に、所定のイオンを透過する分離部材である。双極板１２１は、正極電極１０４と負極電極１０５との間に介在され、電流を流すが電解液を通さない導電部材である。双極板１２１は、図７に示すように双極板１２１の外周に形成された枠体１２２を備えるセルフレーム１２０の状態で利用される。枠体１２２は、その表裏面に開口し、双極板１２１上に配置された各電極１０４，１０５に電解液を供給する給液孔１２３，１２４及び電解液を排出する排液孔１２５，１２６を有する。枠体１２２には、その全周を取り囲むようにＯリングなどのシール部材１２７が配置される。
【００３２】
複数の電池セル１００Ｃは積層されて、セルスタック２００（電解液流通型電池用セルスタック）と呼ばれる形態で利用される。セルスタック２００は、図６，７に示すように、あるセルフレーム１２０の双極板１２１、正極電極１０４、隔膜１０１、負極電極１０５、別のセルフレーム１２０の双極板１２１、…と順に繰り返し積層され、その両端部にエンドプレート２０１が配置された積層体で構成される。図６では、三つの電池セル１００Ｃを備えるが、これに限定されない。セルスタック２００における電池セル１００Ｃの積層方向の両端に位置する電極１０４，１０５には、双極板１２１に代えて集電板（図示せず）が配置される。セルスタック２００は、図７，８に示すように、エンドプレート２０１を貫通して延びる棒状体２０２と、棒状体２０２の端部に結合され、積層体を締め付ける締付部材（ナット）２０３とを備える。具体的には、一対のエンドプレート２０１，２０１間が長ボルトなどの棒状体２０２で連結され、棒状体２０２の端部をナット２０３で締め付けて一体化される。
【００３３】
セルスタック２００は、積層体の各電極に供給される電解液の内圧によって、積層体が広がる方向の圧力（外向きの圧力）が作用する。そのため、セルスタック２００は、図８に示すように、エンドプレート２０１とナット２０３との間に、積層体の積層方向への膨張・収縮を吸収する弾性部材２０４が配置されている。弾性部材２０４は圧縮コイルばねが好ましい。この圧縮コイルばねは、積層体の積層数・形状・大きさや、棒状体２０２の本数等に応じて伸縮代を吸収できるばね定数のものを適宜選択できる。弾性部材２０４は、棒状体２０２の外周に配置されている。ナット２０３と弾性部材２０４との間には、弾性部材２０４の伸縮力を押さえる押さえ板２０５が配置されている。この弾性部材２０４によって、ＲＦ電池１００の通常運転時では、積層体の伸縮状態に関わらず適切な締付力を保持することができ、積層体をその積層方向に圧縮する内向きの圧力で締め付けることができる。セルフレーム１２０の枠体１２２にはＯリングなどのシール部材１２７が配置されているため、複数のセルフレーム１２０を積層して締め付けた際にシール部材１２７が圧縮され、電解液のシールとして機能する。
【００３４】
ＲＦ電池１００は、上記セルスタック２００と、以下の正極循環機構及び負極循環機構を備える。正極循環機構は、正極電極１０４に正極電解液を循環させ、負極循環機構は、負極電極１０５に負極電解液を循環させる。図５に、正極電解液及び負極電解液の活物質にバナジウム（Ｖ）イオンを含有するバナジウム電解液を使用したバナジウム系の単一セル構造のＲＦ電池１００の動作原理を示す。この循環供給によって、ＲＦ電池１００は、各極の電解液中の活物質となるイオンの価数変化反応に伴って充放電を行う。図５中の電池セル１００Ｃ内の実線矢印は充電反応を、破線矢印は放電反応をそれぞれ示す。
【００３５】
正極循環機構は、正極電極１０４に供給する正極電解液を貯留する正極タンク１０６と、正極タンク１０６とＲＦ電池１００との間を接続する配管１０８，１１０と、供給側の配管１０８に設けられたポンプ１１２とを備える。同様に、負極循環機構は、負極電極１０５に供給する負極電解液を貯留する負極タンク１０７と、負極タンク１０７とＲＦ電池１００との間を接続する配管１０９，１１１と、供給側の配管１０９に設けられたポンプ１１３とを備える。複数のセルフレーム１２０を積層することで給液孔１２３，１２４及び排液孔１２５，１２６（図７）は電解液の流通管路を構成し、この管路に配管１０８〜１１１が接続される。ＲＦ電池１００の基本構成は、公知の構成を適宜利用できる。
【００３６】
〔ＲＦ電池の主な特徴点〕
実施形態のＲＦ電池１００は、弾性部材２０４の収縮を規制可能なストッパを備えるセルスタックを用いる点を特徴の一つとする。このストッパは、複数の電池セル１００Ｃを有する積層体の内側に供給される電解液の内圧が過度に上昇した場合（異常時の場合）に機能を発揮する。積層体内の電解液の内圧が過度に上昇すると、積層体は積層方向に膨張する。ストッパは、棒状体２０２と同軸状に配置され、積層体の積層方向への膨張に伴う弾性部材２０４の収縮を規制する。具体的には、このストッパは、積層体の内側に供給される電解液の内圧が所定値未満の場合（通常時の場合）は、エンドプレート２０１との間に隙間を有し、電解液の内圧が所定値以上の場合（異常時の場合）は、エンドプレート２０１に当接する。つまり、このストッパは、通常時には上記隙間内で弾性部材２０４を伸縮自在とし、異常時には弾性部材２０４の収縮を規制して積層体が積層方向に広がることを抑制する。以下、上述した実施形態のＲＦ電池１００に備わるセルスタック２００について詳細に説明する。
【００３７】
≪実施形態１≫
実施形態１のセルスタック２００は、図１に示すように、棒状体２０２と弾性部材２０４との間に配置されるストッパ１を備える。図１の上図は、積層体の内側に供給される電解液の内圧が所定値未満であるＲＦ電池１００の通常運転時における場合を示し、図１の下図は、積層体の内側に供給される電解液の内圧が所定値以上であるＲＦ電池１００の異常運転時における場合を示す。
【００３８】
ストッパ１は、棒状体２０２が貫通する貫通孔３０を有する筒部材である。ストッパ１は、内径が棒状体２０２の外径と同等以上であり、外径が弾性部材２０４の内径よりも小さい。ストッパ１は、押さえ板２０５に固定される固定部２０と、積層体の内側に供給される電解液の内圧が所定値以上の異常時にエンドプレート２０１の端面に当接する当接端面１０とを備える。本例では、ストッパ１を押さえ板２０５に固定しているが、ストッパ１を押さえ板２０５等の他の部材に固定しなくてもよい。
【００３９】
ストッパ１の当接端面１０は、ＲＦ電池１００の通常運転時、つまり電解液の内圧が所定値未満の正常時は、エンドプレート２０１との間に隙間ｔを有する。この隙間ｔは、セルフレーム１２０の枠体１２２間に介在されるシール部材１２７が電解液のシールとして機能でき、電解液が漏れない程度に積層体が広がる方向に圧力が作用することを許容する範囲とする。隙間ｔは、積層体の積層数・形状・大きさ、棒状体２０２の本数・位置、弾性部材２０４のばね定数等に応じて、電解液の内圧が所定値未満の場合に所望の値となるように適宜選択すればよい。ストッパ１の長手方向の長さを調整することで、隙間ｔを所望の値に調整することができる。
【００４０】
ＲＦ電池１００の通常運転時は、図１の上図に示すように、隙間ｔの範囲内で弾性部材２０４は伸縮自在であり、弾性部材２０４における積層体の積層方向に圧縮する内向きの圧力で、電解液の内圧によって広がる積層体を締め付ける。隙間ｔの範囲内であれば、弾性部材２０４の圧縮力で積層体を適切に締め付けることができ、積層体の各部材（セルフレーム１２０の枠体１２２）間から電解液が漏れることはない。
【００４１】
一方、ＲＦ電池１００の異常運転時は、電解液の過度の内圧によって積層体は上記隙間ｔの範囲を超えて広がろうとし、弾性部材２０４の圧縮力では電解液の漏れを抑制できる程度に積層体を適切に締め付けきれない虞がある。ストッパ１を備えることで、図１の下図に示すように、電解液の内圧によって積層体が積層方向に膨張すると共に弾性部材２０４が収縮するが、ストッパ１の当接端面１０がエンドプレート２０１の端面に当接するため、弾性部材２０４が隙間ｔの範囲を超えて収縮することはない。よって、電解液の過度の内圧によってエンドプレート２０１が積層体の外方（図１の右側）に動いたとしても、隙間ｔの範囲を超えて動くことが規制される。そのため、積層体の各部材（セルフレーム１２０の枠体１２２）間に隙間が生じることを抑制でき、電解液が漏れることを抑制できる。
【００４２】
ストッパ１の当接端面１０は、エンドプレート２０１の端面と当接する部分であり、この当接端面の面積が大きい方がエンドプレート２０１からの荷重を分散させ易く、積層体が積層方向に広がることを抑制し易い。一方、当接端面の面積が大き過ぎるとストッパ１が大型化する。
【００４３】
ストッパ１は、電解液の過度の内圧が作用したエンドプレート２０１を押さえ付けることができ、その過度の内圧によって変形しない剛性を有する各種の材料を利用することができる。ストッパ１の構成材料として、アルミニウムやその合金、マグネシウムやその合金、銅やその合金、鋼やオーステナイト系ステンレス鋼などの金属材料を利用することが挙げられる。
【００４４】
棒状体２０２・締付部材（ナット）２０３・弾性部材２０４は、図７，８に示すように、エンドプレート２０１の周方向に複数設けられる。ストッパ１は、少なくともエンドプレート２０１の中心を挟んだ対向位置にある弾性部材２０４に対して設けられることが好ましい。例えば、エンドプレート２０１が点対称な形状である場合、ストッパ１は、エンドプレート２０１の中心を通る直線状上で対向位置にある弾性部材２０４に対して設けられることが挙げられる。上記対向位置にある弾性部材２０４に対してストッパ１を設ける場合、エンドプレート２０１の周方向に沿った全ての弾性部材２０４に対してストッパ１を設けなくてもよい。例えば、エンドプレート２０１が矩形状の場合（図７を参照）、少なくとも四隅にストッパ１を設けることが好ましい。エンドプレート２０１が矩形状で一辺が長い場合や、エンドプレートが円形の場合等は、等間隔にストッパ１を設けることが好ましい。全ての弾性部材２０４に対してストッパ１を設けてもよい。一部の弾性部材２０４にストッパ１を設ける場合、全ての弾性部材２０４にストッパ１を設ける場合に比較してストッパ１の数を削減できる。一方、全ての弾性部材２０４にストッパ１を設ける場合、ＲＦ電池１００の異常時にエンドプレート２０１をより強固に押さえ付けることができる。
【００４５】
積層体に作用する電解液の内圧は、ＲＦ電池１００のシステムに組み込まれた圧力計で検出することができる。また、積層体からの電解液の漏れは、液漏れセンサで検出することができる。これら圧力計や液漏れセンサ以外に、ストッパ１がエンドプレート２０１に当接したことを検出する検出手段、例えばフィルム状のセンサなどを設けてもよい。
【００４６】
ストッパ１を備えない場合、セルスタック２００の組立時に、電解液の内圧が過度に上昇する異常時を考慮して、締付部材（ナット）２０３による締付力を強くし、弾性部材２０４による圧縮力を強くすれば、異常時でも電解液が漏れないように、弾性部材２０４によって積層体を適切に締め付けることはできると考えられる。しかし、この場合、電解液の内圧が許容範囲内である正常時であっても、常に異常時を考慮した強い締付力が積層体に作用することになり、積層体を構成するセルフレーム１２０が損傷し易くなる。ストッパ１を備える場合、締付部材（ナット）２０３による締付力を、異常時を考慮した強い締付力とする必要がなく、正常時における電解液が漏れない程度の締付力とすることができ、正常時に過度の締付力が積層体に作用することを抑制できる。つまり、異常時にのみ機能するストッパ１を備えることで、セルフレーム１２０の損傷を抑制できると共に、正常時は勿論、異常時であっても積層体から電解液が漏れることを抑制できる。
【００４７】
≪実施形態２≫
実施形態２のセルスタック２００は、図２に示すように、棒状体２０２と弾性部材２０４との間に配置されるストッパ２を備える。ストッパ２は、棒状体２０２が貫通する貫通孔３０を有する複数（ここでは２つ）のナット２ａ，２ｂ（ダブルナット）で構成される。棒状体２０２には、その両端部から弾性部材２０４が配置される部分に亘って、ナット２ａ，２ｂをねじ込むための雄ねじ加工が施されている。二つのナット２ａ，２ｂは、棒状体２０２の雄ねじに螺合して固定される。二つのナット２ａ，２ｂは、各ナットの端面が互いに圧接されるように各ナットに逆回転での締め付けが行われることにより、棒状体２０２に対して位置ずれすることを抑制する。ストッパ２は、エンドプレート２０１側にあるナット２ａに当接端面１０を備える。二つのナット２ａ，２ｂは、同一のものであってもよいし、異なるものを用いてもよい。図２も図１と同様に、上図はＲＦ電池１００の通常運転時における場合を示し、下図はＲＦ電池１００の異常運転時における場合を示す。
【００４８】
ストッパ２の当接端面１０は、ストッパ１と同様に、電解液の内圧が所定値未満の正常時は、エンドプレート２０１との間に隙間ｔを有する。よって、ＲＦ電池１００の通常運転時は、図２の上図に示すように、隙間ｔの範囲内で弾性部材２０４は伸縮自在であり、弾性部材２０４における積層体の積層方向に圧縮する内向きの圧力で、電解液の内圧によって広がる積層体を適切に締め付ける。
【００４９】
一方、ＲＦ電池１００の異常運転時は、図２の下図に示すように、ストッパ２の当接端面１０がエンドプレート２０１の端面に当接し、弾性部材２０４が隙間ｔの範囲を超えて収縮することを規制し、エンドプレート２０１が積層体の外方（図２の右側）に動いたとしても、隙間ｔの範囲を超えて動くことを規制する。そのため、積層体の各部材（セルフレーム１２０の枠体１２２）間に隙間が生じることを抑制でき、電解液が漏れることを抑制できる。
【００５０】
ストッパ２は、棒状体２０２の雄ねじに螺合して固定されているため、電解液の過度の内圧によって変形しないと共に回転しない剛性を有する。ストッパ２がダブルナットで構成されることで、ダブルナットの棒状体２０２の軸方向の位置を容易に変えることができるため、隙間ｔを容易に調整できる。また、ストッパ２がダブルナットで構成されることで、各ナット２ａ，２ｂが空回りして隙間ｔが狭くなったり、広くなったりすることを抑制できる。本例では、ダブルナットで構成しているが、三つ以上のナットで構成してもよい。また、長手方向の長さを長くした一つのナットで構成してもよい。ストッパ２をナットで構成する場合は、ナットが棒状体２０２に対して空回りしないように固定される。
【００５１】
≪実施形態３≫
実施形態３のセルスタック２００は、図３に示すように、弾性部材２０４の外周に配置されるストッパ３を備える。ストッパ３は、棒状体２０２及び弾性部材２０４が貫通する貫通孔３０を有する筒部材である。ストッパ３は、内径が弾性部材２０４の外径と同等以上である。ストッパ３は、押さえ板２０５に固定される固定部２０と、積層体の内側に供給される電解液の内圧が所定値以上の異常時にエンドプレート２０１の端面に当接する当接端面１０とを備える。ストッパ３は、押さえ板２０５等の他の部材に固定しなくてもよい。図３も図１と同様に、上図はＲＦ電池１００の通常運転時における場合を示し、下図はＲＦ電池１００の異常運転時における場合を示す。
【００５２】
ストッパ３の当接端面１０は、ストッパ１と同様に、電解液の内圧が所定値未満の正常時は、エンドプレート２０１との間に隙間ｔを有する。よって、ＲＦ電池１００の通常運転時は、図３の上図に示すように、隙間ｔの範囲内で弾性部材２０４は伸縮自在であり、弾性部材２０４における積層体の積層方向に圧縮する内向きの圧力で、電解液の内圧によって広がる積層体を適切に締め付ける。
【００５３】
一方、ＲＦ電池１００の異常運転時は、図３の下図に示すように、ストッパ３の当接端面１０がエンドプレート２０１の端面に当接し、弾性部材２０４が隙間ｔの範囲を超えて収縮することを規制し、エンドプレート２０１が積層体の外方（図３の右側）に動いたとしても、隙間ｔの範囲を超えて動くことを規制する。そのため、積層体の各部材（セルフレーム１２０の枠体１２２）間に隙間が生じることを抑制でき、電解液が漏れることを抑制できる。
【００５４】
≪実施形態４≫
実施形態４のセルスタック２００は、図４に示すように、弾性部材２０４と締付部材（ナット）２０３との間に配置されるストッパ４を備える。また、実施形態４のセルスタック２００は、図４に示すように、エンドプレート２０１に弾性部材２０４を収納する凹部２０１ｂと、ストッパ４に当て止めされる当接面２０１ｃとを備える。図４も図１と同様に、上図はＲＦ電池１００の通常運転時における場合を示し、下図はＲＦ電池１００の異常運転時における場合を示す。
【００５５】
ストッパ４は、棒状体２０２が貫通する貫通孔３０を有し、棒状体２０２の全周に亘って弾性部材２０４の端面外縁よりも外方に突出する板状部材である。本例では、弾性部材２０４の伸縮力を押さえる押さえ板２０５がストッパ４を兼ねており、押さえ板２０５のうち弾性部材２０４の端面外縁よりも外方に位置する部分（弾性部材２０４の端面が接触しない外周縁部領域）に、積層体の内側に供給される電解液の内圧が所定値以上の異常時にエンドプレート２０１の端面に当接する当接端面１０を備える。
【００５６】
エンドプレート２０１に設けられる凹部２０１ｂは、電解液の内圧が所定値未満の正常時に弾性部材２０４の一部を収納し、電解液の内圧が所定値以上の異常時は弾性部材２０４の全部を収納する深さを有する。凹部２０１ｂに弾性部材の少なくとも一部が収納されることで、エンドプレート２０１からの弾性部材２０４及び棒状体２０２の突出量を小さくできる。凹部２０１ｂの底面には、弾性部材２０４の端面が当接される。凹部２０１ｂの開口部周縁のエンドプレート２０１の表面には、積層体の内側に供給される電解液の内圧が所定値以上の異常時にストッパ４の当接端面１０と当接する当接面２０１ｃを備える。
【００５７】
ストッパ４の当接端面１０は、電解液の内圧が所定値未満の正常時は、エンドプレート２０１の当接面２０１ｃとの間に隙間ｔを有する。この隙間ｔは、エンドプレート２０１に設けられた凹部２０１ｂの深さ、弾性部材２０４のばね定数や長さ、棒状体２０２に対するナット２０３の位置等に応じて、電解液の内圧が所定値未満の場合に所望の値となるように適宜選択すればよい。ＲＦ電池１００の通常運転時は、図４の上図に示すように、隙間ｔの範囲内で弾性部材２０４は伸縮自在であり、弾性部材２０４における積層体の積層方向に圧縮する内向きの圧力で、電解液の内圧によって広がる積層体を適切に締め付ける。
【００５８】
一方、ＲＦ電池１００の異常運転時は、図４の下図に示すように、電解液の過度の内圧によってエンドプレート２０１が積層体の外方（図４の右側）に動くと、エンドプレート２０１の当接面２０１ｃがストッパ４の当接端面１０に当て止めされ、積層体が隙間ｔの範囲を超えて動くことを規制する。そのため、積層体の各部材（セルフレーム１２０の枠体１２２）間に隙間が生じることを抑制でき、電解液が漏れることを抑制できる。
【００５９】
〔その他のＲＦ電池の構成部材〕
・正極電極及び負極電極
正極電極１０４及び負極電極１０５は、供給された電解液が各電極１０４，１０５に浸透、拡散して、電解液中の活物質が各電極１０４，１０５上で電池反応を行い、反応後の電解液を排出する。この目的から、各電極１０４，１０５は、多数の微細な細孔を有する多孔体で構成される。各電極１０４，１０５の構成材料は、炭素繊維を含む多孔体、例えば、カーボンフェルトやカーボンペーパーなどが好適に利用できる。公知の電極を利用できる。
【００６０】
・隔膜
隔膜１０１は、例えば、陽イオン交換膜や陰イオン交換膜といったイオン交換膜が挙げられる。イオン交換膜は、（１）正極活物質のイオンと負極活物質のイオンとの隔離性に優れる、（２）電池セル１００Ｃ内での電荷担体であるＨ＋イオンの透過性に優れる、といった特性を有しており、隔膜１０１に好適に利用できる。公知の隔膜を利用できる。
【００６１】
・セルフレーム
双極板１２１は、電気抵抗が小さい導電性材料であって、電解液と反応せず、電解液に対する耐性（耐薬品性、耐酸性など）を有するもの、例えば、炭素材と有機材とを含有する複合材料を利用できる。より具体的には黒鉛などの導電性無機材（粉末や繊維など）とポリオレフィン系有機化合物や塩素化有機化合物などの有機材とを含む導電性プラスチックなどを板状に成形したものを利用できる。枠体１２２は、電解液に対する耐性、電気絶縁性に優れる樹脂などで構成される。
【００６２】
〔電解液〕
ＲＦ電池１００に利用する電解液は、金属イオンや非金属イオンなどの活物質イオンを含む。例えば、正極活物質及び負極活物質として、価数の異なるバナジウムイオン（図５）を含むバナジウム系電解液が挙げられる。その他、正極活物質として鉄（Ｆｅ）イオン、負極活物質としてクロム（Ｃｒ）イオンを含む鉄−クロム系電解液、正極活物質としてマンガン（Ｍｎ）イオン、負極活物質としてチタン（Ｔｉ）イオンを含むマンガン−チタン系電解液などが挙げられる。電解液は、活物質に加えて、硫酸、リン酸、硝酸、塩酸から選択される少なくとも１種の酸又は酸塩を含む水溶液などを利用できる。
【００６３】
本発明はこれらの例示に限定されるものではなく、特許請求の範囲によって示され、特許請求の範囲と均等の意味および範囲内でのすべての変更が含まれることが意図される。例えば、積層体の仕様（積層体の積層数や形状、大きさなど）、電解液の種類などを変更することができる。
【産業上の利用可能性】
【００６４】
本発明のセルスタックは、レドックスフロー電池のセルスタックとして好適に利用できる。本発明のレドックスフロー電池は、太陽光発電、風力発電などの自然エネルギーの発電に対して、発電出力の変動の安定化、発電電力の余剰時の蓄電、負荷平準化などを目的とした蓄電池に利用できる。また、本発明のレドックスフロー電池は、一般的な発電所に併設されて、瞬低・停電対策や負荷平準化を目的とした蓄電池としても利用できる。特に、本発明のレドックスフロー電池は、上述の目的の大容量の蓄電池に好適に利用できる。
【符号の説明】
【００６５】
１００  レドックスフロー電池（ＲＦ電池）
１００Ｃ  電池セル
１０１  隔膜
１０２  正極セル    １０３  負極セル
１０４  正極電極    １０５  負極電極
１０６  正極タンク    １０７  負極タンク
１０８〜１１１  配管    １１２，１１３  ポンプ
２００  セルスタック
２０１  エンドプレート    ２０１ｂ  凹部  ２０１ｃ  当接面
２０２  棒状体
２０３  締付部材（ナット）
２０４  弾性部材（圧縮コイルばね）
２０５  押さえ板
１２０  セルフレーム    １２１  双極板    １２２  枠体
１２３，１２４  給液孔    １２５，１２６  排液孔
１２７  シール部材
１，２，３，４  ストッパ
１０  当接端面    ２０  固定部    ３０  貫通孔
２ａ，２ｂ  ナット
【図１】
2017208178.tif 000003
【図２】
2017208178.tif 000004
【図３】
2017208178.tif 000005
【図４】
2017208178.tif 000006
【図５】
2017208178.tif 000007
【図６】
2017208178.tif 000008
【図７】
2017208178.tif 000009
【図８】
2017208178.tif 000010